(57)【要約】【課題】写真技術に使用されるレンズ駆動装置を提供する。【解決手段】レンズ駆動装置は、鉄シェルを含む固定部と、レンズを保持するレンズホルダを含む可動部と、固定部に対して可動部を移動するための駆動部とを有する。この駆動部は、鉄シェルに固定された複数の磁石と、レンズホルダに固定された少なくとも１つのコイルとを含む。磁極は、レンズの光学軸の方向に積層された少なくとも２つの層及びレンズの周囲方向に沿った複数のグループに分割される。各磁石は、レンズの半径方向に分極される。同じグループにおける２つの隣接する積層磁極の極性は、互いに逆であって、光学軸方向に平行な平面内に磁気回路を形成するよう協働する。コイルは、コイルが巻かれる軸を含む。このコイル軸は、光学軸方向に垂直である。コイルは、一方の磁石層に面する上部と、他方の磁石層に面する下部とを有する。【選択図】図２
2009211076.tif 000002
【特許請求の範囲】
【請求項１】
鉄シェルを含む固定部と、
レンズを保持するように構成されたレンズホルダを含む可動部と、
前記固定部に対して移動するように前記可動部を駆動するよう構成された駆動部と、
を備え、前記駆動部は、前記鉄シェル及びレンズホルダの一方に固定された複数の磁極を与える磁石手段と、前記鉄シェル及びレンズホルダの他方に固定された少なくとも１つのコイルとを含み、前記磁極は、レンズの光学軸方向に沿って積層された少なくとも２つの層及びレンズの周囲方向に配列された複数のグループに分割され、前記磁石手段は、レンズの半径方向に沿って分極され、同じグループにおける２つの積層された磁極の極性は、互いに逆であって、光学軸方向に平行な平面内に磁気回路を形成するよう協働し、前記コイルは、コイルが巻かれる軸であって、前記光学軸方向に垂直な軸と、磁極の一方の層に面する上部と、磁極の他方の層に面する下部とを有し、前記コイルのこれら上部及び下部は、前記コイルの軸の互いに反対側に配置される、レンズ駆動装置。
【請求項２】
磁極の各層は、１以上の整数をＮとすれば、光学軸に垂直な平面内で複数の磁気回路を形成するよう協働する２＊Ｎ個の磁極を形成する、請求項１に記載のレンズ駆動装置。
【請求項３】
各磁極の極性は、同じ層における２つの隣接する磁極とは逆であり、前記駆動部は、２＊Ｎ個のコイルを含み、各コイルは、磁極のグループに対応し、２つの隣接コイルに流れる電流の方向は、互いに逆である、請求項２に記載のレンズ駆動装置。
【請求項４】
前記磁極は、周囲方向に沿って４つのグループに分割され、前記駆動部は、磁極の４つのグループに各々対応する４つのコイルを含む、請求項３に記載のレンズ駆動装置。
【請求項５】
前記磁極は、周囲方向に沿って４つのグループに分割され、各磁極の極性は、同じ層における２つの隣接する磁極の一方とは逆であり、且つ同じ層における２つの隣接する磁極の他方と同じである、請求項２に記載のレンズ駆動装置。
【請求項６】
前記駆動部は、同じ極性を有する磁極の２つのグループに各々対応する２つのコイルを備え、これら２つのコイルに流れる電流の方向は、互いに逆である、請求項５に記載のレンズ駆動装置。
【請求項７】
前記磁極は、周囲方向に沿って２つのグループに分割され、前記駆動部は、磁極の２つのグループに各々対応する２つのコイルを含む、請求項２に記載のレンズ駆動装置。
【請求項８】
同じ層の磁極は、同じ極性を有し、そして前記駆動部は、全ての磁極に対応する単一のコイルを含む、請求項１に記載のレンズ駆動装置。
【請求項９】
同じ層の磁極は、同じ極性を有し、更に、１以上の整数をＮとすれば、前記磁極は、２＊Ｎ個のグループに分割され、そして前記駆動部は、磁極の１つのグループに各々対応する２＊Ｎ個のコイルを含む、請求項１に記載のレンズ駆動装置。
【請求項１０】
同じ層の磁極は、同じ極性を有し、更に、１以上の整数をＮとすれば、前記磁極は、２＊Ｎ個のグループに分割され、そして前記駆動部は、磁極の２つのグループに各々対応するＮ個のコイルを含む、請求項１に記載のレンズ駆動装置。
【請求項１１】
前記可動部は、前記固定部の内側に配置され、前記磁石手段は、前記鉄シェルの内面に固定され、そして前記コイルは、レンズホルダの外面に固定される、請求項１から１０のいずれかに記載のレンズ駆動装置。
【請求項１２】
前記コイルは、レンズホルダに固定される前に弧状に形成される、請求項１１に記載のレンズ駆動装置。
【請求項１３】
前記コイルは、レンズホルダの外面に接着剤で固定される、請求項１２に記載のレンズ駆動装置。
【請求項１４】
同じ層の磁極は、同じ極性を有する、請求項１に記載のレンズ駆動装置。
【請求項１５】
各グループの磁極は、単一のモノリシック磁石として一体的に形成される、請求項１から１４のいずれかに記載のレンズ駆動装置。
【発明の詳細な説明】
【技術分野】
【０００１】
本発明は、写真技術に係り、より詳細には、レンズ駆動装置に係る。
【背景技術】
【０００２】
デジタルカメラ、デジタルビデオカメラ、カメラ付きセルラー電話、及びカメラ付きコンピュータのようなビデオデジタル製品は、捕獲されるべき映像に焦点を合わせるために可動のレンズを有している。既知のレンズ駆動方法は、レンズの光学軸に沿ってレンズを移動する電磁力を発生するためにコイル及び磁石を使用している。
【０００３】
図１は、従来技術に基づくレンズ駆動装置１の断面図である。図１を参照すれば、レンズ駆動装置１は、ヨーク１１と、磁石１２と、コイル１３と、レンズホルダ１４とを備えている。磁石１２は、ヨーク１１の内面に固定され、その組合せが固定部として働く。コイル１３は、レンズホルダ１４の外部に固定され、その組合せが可動部として働く。ヨーク１１は、外側リング１１１と、内側リング１１２と、外側リング１１１を内側リング１１２に接続する接続部１１３とを含む。磁石１２は、外側リング１１１の内面に固定され、そしてコイル１３は、内側リング１１２と外側リング１１１との間に半径方向に配置される。コイル１３に通電したときに可動部が固定部に対して移動される。
【０００４】
磁石１２の磁束の流れが、図１に矢印で示されている。ヨーク１１の内側リング１１２は、可動部の移動を許すために外側リング１１１及び磁石１２より短くされている。磁石１２により発生される磁束のうち、内側リング１１２を通過しない比較的大きな部分は、大きな磁気抵抗に遭遇し、その結果、コイルの対応部分が配置されたところの磁界強度が弱くなり、そして磁界の利用比率が低くなる
【発明の概要】
【発明が解決しようとする課題】
【０００５】
本発明の目的は、上述した問題を解決し又は軽減し、或いは少なくとも有用な選択肢を与えることである。
【課題を解決するための手段】
【０００６】
従って、本発明は、その１つの態様において、鉄シェルを含む固定部と、レンズを保持するように構成されたレンズホルダを含む可動部と、固定部に対して移動するように可動部を駆動するよう構成された駆動部とを備え、この駆動部は、前記鉄シェル及びレンズホルダの一方に固定された複数の磁極を与える磁石手段と、前記鉄シェル及びレンズホルダの他方に固定された少なくとも１つのコイルとを含み、前記磁極は、レンズの光学軸方向に沿って積層された少なくとも２つの層及びレンズの周囲方向に配列された複数のグループに分割され、前記磁石手段は、レンズの半径方向に沿って分極され、同じグループにおける２つの隣接する磁極の極性は、互いに逆であって、光学軸方向に平行な平面内に磁気回路を形成するよう協働し、前記コイルは、コイルが巻かれる軸であって、光学軸方向に垂直な軸と、磁極の一方の層に面する上部と、磁極の他方の層に面する下部とを有し、前記コイルのこれら上部及び下部は、コイルの軸の互いに反対側に配置される、レンズ駆動装置を提供する。
【０００７】
好ましくは、磁極の各層は、１以上の整数をＮとすれば、光学軸に垂直な平面内で複数の磁気回路を形成するよう協働する２＊Ｎ個の磁極を形成する。
【０００８】
好ましくは、各磁極の極性は、同じ層における２つの隣接する磁極とは逆であり、駆動部は、２＊Ｎ個のコイルを含み、各コイルは、磁極のグループに対応し、２つの隣接コイルに流れる電流の方向は、互いに逆である。
【０００９】
好ましくは、磁極は、周囲方向に沿って４つのグループに分割され、そして駆動部は、磁極の４つのグループに各々対応する４つのコイルを含む。
【００１０】
好ましくは、磁極は、周囲方向に沿って４つのグループに分割され、各磁極の極性は、同じ層における２つの隣接する磁極の一方とは逆であり、且つ同じ層における２つの隣接する磁極の他方と同じである。
【００１１】
好ましくは、駆動部は、同じ極性を有する磁極の２つのグループに各々対応する２つのコイルを含み、これら２つのコイルに流れる電流の方向は、互いに逆である。
【００１２】
好ましくは、磁極は、周囲方向に沿って２つのグループに分割され、駆動部は、磁極の２つのグループに各々対応する２つのコイルを含む。
【００１３】
好ましくは、同じ層の磁極は、同じ極性を有し、そして駆動部は、全ての磁極に対応する単一のコイルを含む。
【００１４】
好ましくは、同じ層の磁極は、同じ極性を有し、又、１以上の整数をＮとすれば、磁極は、２＊Ｎ個のグループに分割され、そして駆動部は、磁極の１つのグループに各々対応する２＊Ｎ個のコイルを含む。
【００１５】
好ましくは、同じ層の磁極は、同じ極性を有し、又、１以上の整数をＮとすれば、磁極は、２＊Ｎ個のグループに分割され、そして駆動部は、磁極の２つのグループに各々対応するＮ個のコイルを含む。
【００１６】
好ましくは、可動部は、固定部の内側に配置され、磁石手段は、鉄シェルの内面に固定され、そしてコイルは、レンズホルダの外面に固定される。
【００１７】
好ましくは、コイルは、レンズホルダに固定される前に弧状に形成される。
【００１８】
好ましくは、コイルは、レンズホルダの外面に接着剤で固定される。
【００１９】
好ましくは、各グループの磁極は、単一のモノリシック磁石として一体的に形成される。
【００２０】
好ましくは、同じ層の磁極は、同じ極性を有する。
【００２１】
以下、添付図面を参照して、本発明の好ましい実施形態を一例として説明する。
【図面の簡単な説明】
【００２２】
【図１】既知のレンズ駆動装置の断面図である。
【図２】本発明の第１の実施形態に基づくレンズ駆動装置の分解図である。
【図３】図２のレンズ駆動装置の鉄シェルと磁石とコイルとの間の位置関係を示す概略図である。
【図４】図２のレンズ駆動装置の磁石の磁束路を示す概略図である。
【図５】図３のＡ−Ａ線に沿った断面図である。
【図６】図２のコイルの等寸図である。
【図７】本発明の第２の実施形態に基づくレンズ駆動装置の鉄シェルと磁石とコイルとの間の位置関係を示す概略図である。
【図８】図７のレンズ駆動装置の磁石の磁束路を示す概略図である。
【図９】図７のコイルの等寸図である。
【図１０】図７のＢ−Ｂ線に沿った断面図である。
【図１１】本発明の更に別の実施形態に基づくレンズ駆動装置の鉄シェルと磁石とコイルとの間の位置関係を示す概略図である。
【図１２】図１１のＣ−Ｃ線に沿った断面図である。
【図１３】図１１のコイルの等寸図である。
【図１４】図１１の装置の磁石の概略図である。
【図１５】本発明の更に別の実施形態に基づく磁石の概略図である。
【発明を実施するための形態】
【００２３】
図示されたコンポーネント及び特徴部の大きさは、一般的に、表現の便宜上及び明瞭化のために選択されたものであり、必ずしも、正しいスケールで示されていない。
【００２４】
本発明の実施形態に基づくレンズ駆動装置は、固定部と、可動部と、固定部に対して可動部を移動するように構成された駆動部とを備えている。この駆動部は、固定部及び可動部の一方に固定された複数の磁石と、この磁石に面して固定部及び可動部の他方に固定された１つ以上のコイルとを含む。説明を容易にするために、以下の実施形態では、磁石は固定部に固定され、そしてコイルは可動部に固定され、その上にレンズセットが設置される。本発明における磁石又は磁石手段とコイルとの間の位置的な関係は、この構成に限定されないことを理解されたい。明らかなように、ある実施形態では、装置は、多数の磁石を参照して述べるが、これは、本発明の説明及び理解を容易にするためのもので、重要なことは、磁石又は磁石手段の磁極の数及び位置である。
【００２５】
図２の実施形態を参照すれば、固定部は、ベース２０、上部カバー２２、及びこれらベース２０と上部カバー２２との間に固定された鉄シェル２４を備えている。可動部は、レンズを支持するためのレンズホルダ４０を備えている。駆動部は、鉄シェル２４の内面に固定された複数の磁石２６と、レンズホルダ４０の外面上の、直径方向に対向する位置に固定された２つのコイル４２、４４とを備えている。２つのコイルは、レンズホルダを実質的に取り巻く。２つのスプリングセット３０、３２がレンズホルダ４０を支持する。又、スプリングセット３２は、コイル４２、４４を端子３４に電気的に接続もする。
【００２６】
図４及び４に示すように、磁石２６は、８個の磁石２６ａ−２６ｈを含み、これらは、レンズの光学軸の軸方向に積層された２つの層に分割されると共に、レンズの周囲方向に４つのグループに分割され、例えば、磁石２６ａ−２６ｄは、上部層を形成し、磁石２６ｅ−２６ｈは、下部層を形成し、又、磁石２６ａ及び２６ｅは、同じグループに位置され、磁石２６ｂ及び２６ｆは、同じグループに位置され、磁石２６ｃ及び２６ｇは、同じグループに位置され、磁石２６ｄ及び磁石２６ｈは、同じグループに位置される。鉄シェル２４の断面は、長方形であり、磁石の各グループは、鉄シェル２４の各コーナーに固定される。各磁石は、レンズの半径方向に沿って分極される。各磁石の極性は、同じ層の２つの隣接グループのうちの一方のグループの磁石とは逆であるが、同じ層の２つの隣接グループのうちの他方のグループの磁石と同じである。隣接（積層）層に位置される同じグループの磁石は、逆の極性を有する。例えば、磁石２６ａの極性は、磁石２６ｂとは逆であり、磁石２６ｃと同じであり、且つ磁石２６ｅとは逆である。
【００２７】
各コイルは、同じ極性を有する磁石の２つのグループに面しており、例えば、コイル４２は、同じグループの磁石２６ａ、２６ｅ及び同じグループの磁石２６ｃ、２６ｇに面し、そしてコイル４４は、同じグループの磁石２６ｂ、２６ｆ及び同じグループの磁石２６ｄ、２６ｈに面している。コイル４２、４４が巻かれる軸は、光学軸方向に垂直であり、即ち軸は、一般的に、光学軸に垂直な平面内に存在する。電流ｉは、２つのコイル４２、４４を互いに逆方向に流れ、即ちレンズの中心から２つのコイルへと見て、一方が時計方向に流れ、そして他方が反時計方向に流れる。図３に矢印で示すように、電流ｉは、コイル４４を時計方向に流れ、そして電流ｉは、コイル４２を反時計方向に流れる。図５及び６に示すように、各コイルは、磁石の上部層に対応する上半分と、磁石の下部層に対応する下半分とを含み、例えば、コイル４２の上半分４２ａは、磁石２６ａ、２６ｃに対応し、コイル４２の下半分４２ｂは、磁石２６ｅ、２６ｇに対応し、そしてコイル４４の上半分４４ａは、磁石２６ｂ、２６ｄに対応し、その下半分４４ｂは、磁石２６ｆ、２６ｈに対応する。
【００２８】
上述した磁石２６ａ−２６ｈの磁束方向は、図３及び４に破線で示されている。磁石２６ａ−２６ｄの上部層では、磁石２６ａのＮ極から放出される磁束が、磁石２６ａとコイル４２の上半分４２ａとの間のエアギャップ、コイル４２の上半分４２ａ、コイル４４の上半分４４ａ、磁石２６ｂとコイル４４との間のエアギャップを次々に通過して、隣接グループの磁石２６ｂのＳ極へと進み、最終的に、鉄シェル２４を経て磁石２６ａのＳ極へと戻る。同様に、磁石２６ｃのＮ極から放出される磁束は、磁石２６ｃとコイル４２の上半分４２ａとの間のエアギャップ、コイル４２の上半分４２ａ、コイル４４の上半分４４ａ、磁石２６ｂとコイル４４との間のエアギャップを次々に通過して、磁石２６ｄのＳ極へと進み、最終的に、鉄シェル２４を経て磁石２６ｃのＳ極へと戻る。磁石の下部層の磁束も、基本的には、磁石の上部層と同じであり、ここでは、これ以上述べないことを理解されたい。従って、磁石の各層では、光学軸に垂直な平面において、互いに逆の極性を伴う２つの隣接する磁石が、２つのコイルを通過する磁気回路を形成するよう協働する。
【００２９】
磁石の同じグループ、例えば、磁石２６ａ及び磁石２６ｅを含むグループでは、磁石２６ａにより発生される磁束が、Ｎ極からスタートして、磁石２６ａとコイル４２との間のエアギャップ、コイル４２の上半分４２ａ、コイル４２の下半分４２ｂ、磁石２６ｅとコイル４２との間のエアギャップを次々に通過して、同じグループの下部層の磁石２６ｅのＳ極へと進み、最終的に、鉄シェル２４を経て磁石２６ａのＳ極へと戻る。従って、磁石の各グループにおいて、互いに逆の極を有する２つの積層された磁石が、磁気回路を形成するよう協働する。左手の法則によれば、コイル４２、４４に通電したときに、同じ方向をもつアンペア力がコイル４２、４４の上部及び下部に発生され、これにより、レンズホルダを、そこに設置されたレンズと共に駆動して、光学軸の方向に沿って前後に移動させる。
【００３０】
上述した実施形態では、同じ層に異なる極を伴う磁石に磁気回路が形成されると共に、同じグループに異なる極を伴う磁石に他の磁気回路が形成される。従って、各コイルが同時に複数の磁気回路に配置される。それ故、コイルが位置される磁界の強度が著しく向上され、磁気漏洩が減少され、従って、ＥＭＩが改善されると共に、磁界の利用比率が高められる。
【００３１】
上述した実施形態では、コイル４２、４４を巻線軸に最初に巻き付けて、長方形コイルを形成し、次いで、長方形コイルを曲げて、弧の形状（図６に示す）を形成し、最終的に、この弧状のコイル４２、４４をレンズホルダ４０の互いに逆側でその外面に接着材等で固定する。
【００３２】
上述した実施形態では、磁石の各層において、同じ極性を有する２つの隣接する磁石が単一の磁石として一体的に形成され、例えば、磁石の上部層では、磁石２６ａ及び磁石２６ｃを単一の磁石として一体化できると共に、磁石２６ｂ及び磁石２６ｄを単一の磁石として一体化でき、又、磁石の下部層では、磁石２６ｅ及び磁石２６ｇを単一の磁石として一体化できると共に、磁石２６ｆ及び磁石２６ｈを単一の磁石として一体化できる。
【００３３】
図７−１０は、各磁石の極性が同じ層の２つの隣接磁石とは逆であるような本発明の別の実施形態を示すもので、例えば、磁石２６ａ’の極性は、磁石２６ｂ’及び２６ｃ’とは逆であり、そして磁石２６ｄ’の極性は、磁石２６ｂ’及び２６ｃ’とは逆であり、又、磁石２６ｅ’の極性は、磁石２６ｆ’及び２６ｇ’とは逆であり、そして磁石２６ｈ’の極性は、磁石２６ｆ’及び２６ｇ’とは逆である。又、同じグループに位置された２つの隣接磁石の極性は、互いに逆である。駆動部は、４つのコイル４２’、４４’、４６’、４８’を備え、各コイルは、磁石のグループに対応する。隣接コイルに流れる電流ｉの方向は、互いに逆である。
【００３４】
磁石２６ａ’−２６ｄ’の上部層では、磁石２６ａ’によって発生されてそのＮ極から放出される磁束が、磁石２６ａ’と１つのコイル４２’の上半分４２ａ’との間のエアギャップ、コイル４２’の上半分４２ａ’を通過する。このコイル４２’の上半分４２ａ’を通過する磁束の一部分は、隣接コイル４４’の上半分４４ａ’、このコイル４４’の上半分４４ａ’と磁石２６ｂ’との間のエアギャップを通過し続けて、磁石２６ｂ’のＳ極へ進み、最終的に、鉄シェル２４を経て磁石２６ａ’のＳ極へ戻る。コイル４２’の上半分４２ａ’を通過する磁束の他の部分は、他の隣接コイル４６’の上半分４６ａ’、このコイル４６’の上半分４６ａ’と磁石２６ｃ’との間のエアギャップを通過して、磁石２６ｃ’のＳ極へ進み、最終的に、鉄シェル２４を経て磁石２６ａ’のＳ極へ戻る。従って、磁石の上部層では、磁石２６ａ’と、この磁石２６ａ’とは極性が逆の２つの隣接磁石２６ｂ’、２６ｃ’との間に２つの磁気回路が各々形成される。又、磁石の上部層では、磁石２６ｄ’と、この磁石２６ｄ’とは極性が逆の２つの隣接磁石２６ｂ’、２６ｃ’との間に他の２つの磁気回路を各々形成できることが理解できよう。従って、磁石の各層では、互いに逆の極性を有する２つの隣接磁石が、対応するコイルの上部及び下部を順次に通過する磁気回路を形成するよう協働する。それ故、各磁石は、同じ層における２つの隣接磁石と一緒に２つの磁気回路を形成し、且つ同じグループにおける積層磁石と一緒に第３の磁気回路を形成する。従って、各コイルが同時に３つの磁気回路に位置されるので、コイルが位置される磁界の強度が著しく向上され、磁気漏洩が減少され、その結果、ＥＭＩが改善されると共に、磁界の利用比率が高められる。
【００３５】
本発明の上述した実施形態では、鉄シェル２４の断面は、長方形、円形又は他の適当な形状でよく、又、レンズホルダ４０の断面も、長方形、円形又は他の形状でよいことを理解されたい。同じ層における磁石の磁極の数は、上述した状態に限定されず、又、１以上の整数をＮとすれば、同じ層における磁石の磁極の数は、２＊Ｎでよく、即ち極の数は、２、４、６、８、１０、等でよい。本発明では、同じ層における磁石の磁極の数は、同じ層における隣接磁石間で磁極が変化する回数に等しい。同じ層では、同じ極をもつ２つの隣接磁石を１つの磁極と称する。例えば、図３及び４に示すように、同じ層に位置された磁石は、２つの磁極を形成する。図７及び８に示す同じ層の磁石は、４つの磁極を形成する。
【００３６】
図１１−１４は、本発明の別の実施形態によるレンズ駆動装置を示す。この別の実施形態のレンズ駆動装置は、磁石の極及びコイルを除き、上述したレンズ駆動装置に類似している。この実施形態では、同じ層の磁石は、同じ極を有し、即ち上部層の全ての磁石２６ａ”は、同じ極を有し、下部層の全ての磁石２６ｂ”も、同じ極を有する。同じグループの積層磁石は、逆の極を有し、即ち各グループにおいて、上部層の磁石２６ａ”及び下部層の磁石２６ｂ”の極は、互いに逆である。磁石のレイアウトが図１４に示されている。コイル４４”は、実質的に円形の構成を有する。コイル４４”が巻かれるコイル軸は、光学軸の方向に垂直である。コイルは、長方形コイルとして形成され、次いで、レンズホルダに適するように曲げられ、カーブされ、又は弧状にされる。コイル４４”は、磁石２６ａ”の上部層を向いた上部４４ａ”と、磁石２６ｂ”の下部層を向いた下部４４ｂ”とを含む。同じグループにおける２つの積層磁石は、コイル４４”の上部及び下部と、鉄コア２４”とを通過する磁気回路を形成するように協働する。電流ｉは、レンズの半径方向で見たときにコイル４４”の上部及び下部を互いに逆方向に流れるので、コイル４４”の上部及び下部に発生される力は、同じ方向を有する。従って、コイル４４”に通電すると、レンズホルダの外面に固定されたコイルに電磁力が発生され、これにより、レンズホルダを、そこに設置されたレンズと一緒に駆動し、光学軸の方向に沿って前後に移動させる。或いは又、コイルは、図６に示すように、２つの半円形のコイルで構成されてもよいし、図９に示すように、４つの弧状コイルで構成されてもよい。
【００３７】
上述した全ての実施形態において、各グループの２つの積層磁石は、それに対応するコイル（１つ又は複数）の上部及び下部を通過する磁気回路を形成するように協働する。本発明の磁気回路は、図１に示す従来技術の内側ヨークを通過しない磁気回路に比して磁気抵抗が小さい。それ故、磁界強度が増強される。本発明は、２つの磁石層に限定されないことを理解されたい。設計要件に基づき、３つ又は４つ或いは他の磁石層を使用してもよい。
【００３８】
上述した実施形態では、積層された磁極のグループは、個別の又は別々の磁石を使用して形成された。図１５に示すように、磁極のグループは、適切に磁化された単一の磁石を使用して形成することもできる。従って、磁石の各グループでは、２つの積層された磁極が単一磁石に形成され、従って、各グループが単一磁石で形成される。図１５は、図８の実施形態に対する同等の磁気回路を実施するのに適した構成を一例として示す。上述した２つのアイデアを結合することにより、単一リング磁石又は２部分円形磁石を磁化して、同等の磁気回路を設けることができる。しかしながら、より正確な制御を与えるためには個別の磁石が好ましい。
【００３９】
本出願の説明及び請求の範囲において、“備える(comprise)”、“含む(contain)”、“収容する(contain)”及び“有する(have)”の動詞及びその変形の各々は、述べられたアイテムの存在を特定するために包括的な意味で使用されるが、付加的なアイテムの存在を除外するものではない。
【００４０】
１つ以上の好ましい実施形態を参照して本発明を説明したが、当業者であれば、種々の変更が可能であることが明らかであろう。それ故、本発明の範囲は、特許請求の範囲により決定されるものとする。
【符号の説明】
【００４１】
１：従来のレンズ駆動装置
１１：ヨーク
１２：磁石
１３：コイル
１４：レンズホルダ
２０：ベース
２２：上部カバー
２４：鉄シェル
２６ａ−ｈ：磁石
３０、３２：スプリングセット
３４：端子
４０：レンズホルダ
４２、４４：コイル
４２ａ、４４ａ：上半分
４２ｂ、４４ｂ：下半分
１１１：外側リング
１１２：内側リング
１１３：接続部
【図１】
2009211076.tif 000003
【図２】
2009211076.tif 000004
【図３】
2009211076.tif 000005
【図４】
2009211076.tif 000006
【図５】
2009211076.tif 000007
【図６】
2009211076.tif 000008
【図７】
2009211076.tif 000009
【図８】
2009211076.tif 000010
【図９】
2009211076.tif 000011
【図１０】
2009211076.tif 000012
【図１１】
2009211076.tif 000013
【図１２】
2009211076.tif 000014
【図１３】
2009211076.tif 000015
【図１４】
2009211076.tif 000016
【図１５】
2009211076.tif 000017
【外国語明細書】
2009211076.tif 000018
2009211076.tif 000019
2009211076.tif 000020
2009211076.tif 000021
2009211076.tif 000022
2009211076.tif 000023
2009211076.tif 000024
2009211076.tif 000025
2009211076.tif 000026
2009211076.tif 000027
2009211076.tif 000028
2009211076.tif 000029
2009211076.tif 000030
2009211076.tif 000031
2009211076.tif 000032
2009211076.tif 000033
2009211076.tif 000034
2009211076.tif 000035
2009211076.tif 000036
2009211076.tif 000037
2009211076.tif 000038
2009211076.tif 000039
2009211076.tif 000040
2009211076.tif 000041